(57)【要約】【課題】光学的異方性を有するサンプルの光学的異方性データをより詳細に取得することが可能な光学的異方性データ取得方法を提供する。【解決手段】光学的異方性を有するサンプル１を異なる複数の条件下で撮影し、得られた複数の画像データを解析して、サンプル１の光学的異方性データを取得する。サンプル１を撮影する撮影方向を複数設定し、サンプル１に一の照射方向から照明光を照射する照明条件下で、設定した複数の撮影方向のそれぞれからサンプル１を撮影して、複数の画像データを得る。【選択図】図２
2017159622.tif 000002
【特許請求の範囲】
【請求項１】
光学的異方性を有するサンプルを異なる複数の条件下で撮影し、得られた複数の画像データを解析して、前記サンプルの光学的異方性データを取得する方法であって、前記サンプルを撮影する撮影方向を複数設定し、前記サンプルに一の照射方向から照明光を照射する照明条件下で、設定した前記複数の撮影方向のそれぞれから前記サンプルを撮影して、前記複数の画像データを得る、光学的異方性を有するサンプルの光学的異方性データ取得方法。
【請求項２】
光学的異方性を有するサンプルを異なる複数の条件下で撮影し、得られた複数の画像データを解析して、前記サンプルの光学的異方性データを取得する方法であって、照明光の照射方向を複数設定し、設定した前記複数の照射方向のそれぞれについて、その照射方向から前記サンプルに照明光を照射する照明条件下で、一の撮影方向から前記サンプルを撮影して、各照射方向についてそれぞれ１つの画像データを得ることにより、前記複数の画像データを得る、光学的異方性を有するサンプルの光学的異方性データ取得方法。
【請求項３】
光学的異方性を有するサンプルを異なる複数の条件下で撮影し、得られた複数の画像データを解析して、前記サンプルの光学的異方性データを取得する方法であって、前記サンプルを撮影する撮影方向と照明光の照射方向とをそれぞれ複数設定し、設定した前記複数の照射方向のそれぞれについて、その照射方向から前記サンプルに照明光を照射する照明条件下で、設定した前記複数の撮影方向のそれぞれから前記サンプルを撮影して、各照射方向についてそれぞれ複数の画像データを得る、光学的異方性を有するサンプルの光学的異方性データ取得方法。
【請求項４】
照明装置を前記サンプルの周囲に旋回させ、複数の旋回角度位置において前記サンプルに照明光を照射することにより、前記複数の照射方向から前記サンプルに照明光を照射する請求項２又は請求項３に記載の光学的異方性を有するサンプルの光学的異方性データ取得方法。
【請求項５】
撮影装置を前記サンプルの周囲に旋回させ、複数の旋回角度位置において前記サンプルを撮影することにより、前記複数の撮影方向から前記サンプルを撮影する請求項１又は請求項３に記載の光学的異方性を有するサンプルの光学的異方性データ取得方法。
【請求項６】
前記サンプルを撮影する前記撮影装置の旋回角度位置が、以下の条件Ａ〜Ｆのうちいずれかを満たす請求項５に記載の光学的異方性を有するサンプルの光学的異方性データ取得方法。
条件Ａ：０°の位置と０°超過３６０°未満の位置
条件Ｂ：０°、９０°、１８０°の各位置
条件Ｃ：０°、４５°、９０°、１３５°、１８０°の各位置
条件Ｄ：０°、３０°、６０°、９０°、１２０°、１５０°、１８０°の各位置
条件Ｅ：０°、１５°、３０°、４５°、６０°、７５°、９０°、１０５°、１２０°、１３５°、１５０°、１６５°、１８０°の各位置
条件Ｆ：０°、１０°、２０°、３０°、４０°、５０°、６０°、７０°、８０°、９０°、１００°、１１０°、１２０°、１３０°、１４０°、１５０°、１６０°、１７０°、１８０°の各位置
【請求項７】
前記サンプルから前記撮影装置を見た場合の仰角が０°以上９０°以下である請求項５又は請求項６に記載の光学的異方性を有するサンプルの光学的異方性データ取得方法。
【請求項８】
前記サンプルから前記照明装置を見た場合の仰角が０°以上９０°以下である請求項４に記載の光学的異方性を有するサンプルの光学的異方性データ取得方法。
【請求項９】
前記各画像データを構成する個々の画素について、それぞれ対応する位置にある画素の画素値の差分を算出し、これらの差分を前記サンプルの光学的異方性データとする請求項１〜８のいずれか一項に記載の光学的異方性を有するサンプルの光学的異方性データ取得方法。
【発明の詳細な説明】
【技術分野】
【０００１】
本発明は、光学的異方性を有するサンプルの光学的異方性データ取得方法に関する。
【背景技術】
【０００２】
壁紙、床材等の建材の表面装飾や家具の表面装飾の模様として、木目柄パターンが用いられる。木目柄パターンを有する印刷物を作製する場合は、天然木の切断面をカメラ等の撮影装置で撮影し、得られた画像データに基づいて印刷が行われる。そして、天然木の切断面を撮影装置で撮影する際には、１つの照明装置を用いて１つの方向から天然木の切断面に照明光を照射し、１つの撮影装置で１つの方向から天然木の切断面を撮影して、１つの画像データを取得する。
しかしながら、天然木の切断面は光学的異方性を有しているため、同一の天然木の切断面を撮影した場合であっても、照明光の照射方向又は撮影装置の撮影方向が異なると、異なる画像データが得られる場合がある。したがって、上記のようにして得られた１つの画像データから、光学的異方性を有する天然木の切断面を再現した木目柄パターンの印刷物を作製することは、容易ではなかった。
【先行技術文献】
【特許文献】
【０００３】
【特許文献１】特許第４６９８２２９号公報
【発明の概要】
【発明が解決しようとする課題】
【０００４】
そこで、本発明は上記のような従来技術が有する問題点を解決し、光学的異方性を有するサンプルの光学的異方性データをより詳細に取得することが可能な光学的異方性データ取得方法を提供することを課題とする。
【課題を解決するための手段】
【０００５】
前記課題を解決するため、本発明の一態様に係る光学的異方性を有するサンプルの光学的異方性データ取得方法は、光学的異方性を有するサンプルを異なる複数の条件下で撮影し、得られた複数の画像データを解析して、サンプルの光学的異方性データを取得することを要旨とする。
サンプルの撮影は、サンプルを撮影する撮影方向を複数設定し、サンプルに一の照射方向から照明光を照射する照明条件下で、設定した複数の撮影方向のそれぞれから行ってもよい。また、照明光の照射方向を複数設定し、設定した複数の照射方向のそれぞれについて、その照射方向からサンプルに照明光を照射する照明条件下で、一の撮影方向からサンプルを撮影してもよい。さらに、サンプルを撮影する撮影方向と照明光の照射方向とをそれぞれ複数設定し、設定した複数の照射方向のそれぞれについて、その照射方向からサンプルに照明光を照射する照明条件下で、設定した複数の撮影方向のそれぞれからサンプルを撮影してもよい。
【発明の効果】
【０００６】
本発明によれば、光学的異方性を有するサンプルの光学的異方性データをより詳細に取得することが可能である。
【図面の簡単な説明】
【０００７】
【図１】本発明の一実施形態に係る光学的異方性を有するサンプルの光学的異方性データ取得方法を説明する図である。
【図２】撮影装置と照明装置の旋回角度位置を説明する図である。
【図３】サンプルから撮影装置、照明装置を見た場合の仰角を説明する図である。
【発明を実施するための形態】
【０００８】
本発明の一実施形態について、図面を参照しながら以下に説明する。本実施形態の光学的異方性を有するサンプルの光学的異方性データ取得方法は、天然木の切断面等のような光学的異方性（照明光の照射方向や撮影方向の違いによって、得られる画像データの内容が異なるものとなる性質）を有する表面を備えるサンプルの光学的異方性データを取得する方法である。光学的異方性を有するサンプルを異なる複数の条件下で撮影し、得られた複数の画像データを解析して、サンプルの光学的異方性データを取得する。その際には、以下の３つの方法のうちいずれかの方法に従ってサンプルの撮影を行うことによって、異なる複数の条件下でサンプルを撮影した複数の画像データを得る。
【０００９】
第一の実施形態に係る光学的異方性データ取得方法は、サンプルを撮影する撮影方向を複数設定し、サンプルに一の照射方向から照明光を照射する照明条件下で、設定した複数の撮影方向のそれぞれからサンプルを撮影することにより、複数の画像データを得る方法である。照明光の照射方向は全て同一であるが、撮影方向が異なるため、複数の条件下で撮影した複数の画像データが得られる。なお、複数の撮影方向のうち一つが照明光の照射方向と同一方向であってもよいし、複数の撮影方向の全てが照明光の照射方向とは異なる方向であってもよい。
【００１０】
第二の実施形態に係る光学的異方性データ取得方法は、照明光の照射方向を複数設定し、設定した複数の照射方向のそれぞれについて、その照射方向からサンプルに照明光を照射する照明条件下で、一の撮影方向からサンプルを撮影して、各照射方向についてそれぞれ１つの画像データを得ることにより、複数の画像データを得る方法である。撮影方向は全て同一であるが、照明光の照射方向が異なるため、複数の条件下で撮影した複数の画像データが得られる。なお、複数の照射方向のうち一つが撮影方向と同一方向であってもよいし、複数の照射方向の全てが撮影方向とは異なる方向であってもよい。
【００１１】
第三の実施形態に係る光学的異方性データ取得方法は、サンプルを撮影する撮影方向と照明光の照射方向とをそれぞれ複数設定し、設定した複数の照射方向のそれぞれについて、その照射方向からサンプルに照明光を照射する照明条件下で、設定した複数の撮影方向のそれぞれからサンプルを撮影して、各照射方向についてそれぞれ複数の画像データを得る方法である。照明光の照射方向及び撮影方向がそれぞれ複数設定されるため、照明光の照射方向と撮影方向が種々異なる複数の画像データが得られる。照明光の照射方向と撮影方向とは、その一部又は全部が同一方向であってもよいし、その全部が異なる方向であってもよい。
【００１２】
これらの方法で複数の画像データを得て、得られた複数の画像データを解析すれば、光学的異方性を有するサンプルの光学的異方性データをより詳細に取得することが可能である。よって、天然木の切断面を撮影することによって、天然木の切断面の木目柄パターンに近い木目柄パターンを得ることができるので、天然木の切断面の木目柄パターンに近い木目柄パターンを印刷した化粧シートを作製することができる。そして、その化粧シートを、壁材、床材等の建材の表面装飾や家具の表面装飾に用いることができる。なお、画像データの数は、複数であれば特に限定されるものではないが、３個以上が好ましい。
【００１３】
以下に、第一、第二、第三の実施形態に係る光学的異方性データ取得方法について、図１〜３を参照しながらさらに具体的に説明する。図１〜３においては、サンプル１は、天然木を切断した板材であり、その表面（切断面）は光学的異方性を有する。図１に示すように、照明装置２を用いてサンプル１の表面に照明光を照射し、サンプル１の表面によって反射された照明光の反射光を撮影装置３で撮影して、画像データを得る。
【００１４】
このとき、第一の実施形態に係る光学的異方性データ取得方法であれば、照明装置２の位置を固定して、サンプル１に一の照射方向から照明光が照射されるようにする。そして、複数の撮影装置３を種々の位置に設置するか、又は、１つの撮影装置３の位置を変化させることにより、複数の撮影方向のそれぞれからサンプル１の撮影を行って、複数の条件下で撮影した複数の画像データを得る。
【００１５】
また、第二の実施形態に係る光学的異方性データ取得方法であれば、撮影装置３の位置を固定して、一の撮影方向からサンプル１の撮影が行われるようにする。また、複数の照明装置２を種々の位置に設置するか、又は、１つの照明装置２の位置を変化させることにより、サンプル１に複数の照射方向から照明光を照射できるようにする。そして、照明光の照射方向を変化させることにより照明条件を変化させつつ、それぞれの照明条件で一の撮影方向からサンプル１の撮影を行って、複数の条件下で撮影した複数の画像データを得る。
【００１６】
さらに、第三の実施形態に係る光学的異方性データ取得方法であれば、複数の照明装置２を種々の位置に設置するか、又は、１つの照明装置２の位置を変化させることにより、サンプル１に複数の照射方向から照明光を照射できるようにする。また、複数の撮影装置３を種々の位置に設置するか、又は、１つの撮影装置３の位置を変化させることにより、複数の撮影方向のそれぞれからサンプル１の撮影を行えるようにする。そして、照明光の照射方向を変化させることにより照明条件を変化させつつ、それぞれの照明条件で複数の撮影方向のそれぞれからサンプル１の撮影を行って、複数の条件下で撮影した複数の画像データを得る。
【００１７】
第一、第三の実施形態に係る光学的異方性データ取得方法において、１つの撮影装置３の位置を変化させる場合には、１つの撮影装置３をサンプル１の周囲に旋回させることにより、複数の旋回角度位置においてサンプル１を撮影することができる。
サンプル１を撮影する撮影装置３の旋回角度位置は、特に限定されるものではないが、以下の条件Ａ〜Ｆのうちいずれかを満たす旋回角度位置としてもよい。
条件Ａ：０°の位置と０°超過３６０°未満の位置
条件Ｂ：０°、９０°、１８０°の各位置
条件Ｃ：０°、４５°、９０°、１３５°、１８０°の各位置
条件Ｄ：０°、３０°、６０°、９０°、１２０°、１５０°、１８０°の各位置
条件Ｅ：０°、１５°、３０°、４５°、６０°、７５°、９０°、１０５°、１２０°、１３５°、１５０°、１６５°、１８０°の各位置
条件Ｆ：０°、１０°、２０°、３０°、４０°、５０°、６０°、７０°、８０°、９０°、１００°、１１０°、１２０°、１３０°、１４０°、１５０°、１６０°、１７０°、１８０°の各位置
【００１８】
例えば条件Ａであれば、０°の位置は第１回目にサンプル１を撮影する旋回角度位置であり、その後に撮影装置３を０°超過３６０°未満の範囲内の任意の角度だけ旋回させて、その旋回角度位置で第２回目の撮影を行うことを意味する。
また、例えば条件Ｂであれば、０°の位置は第１回目にサンプル１を撮影する旋回角度位置であり、その後に撮影装置３を９０°旋回させて９０°の旋回角度位置で第２回目の撮影を行い、さらにその後に撮影装置３を９０°旋回させて１８０°の旋回角度位置で第３回目の撮影を行うことを意味する。
【００１９】
第二、第三の実施形態に係る光学的異方性データ取得方法において、１つの照明装置２の位置を変化させる場合には、１つの照明装置２をサンプル１の周囲に旋回させることにより、複数の旋回角度位置においてサンプル１に照明光を照射することができる。サンプル１に照明光を照射する照明装置２の旋回角度位置は、特に限定されるものではないが、撮影装置３の場合と同様に、上記の条件Ａ〜Ｆのうちいずれかを満たす旋回角度位置としてもよい。
【００２０】
例えば、図２に示す例の場合は、サンプル１を挟んで対向する位置に照明装置２と撮影装置３を配置し、この位置（０°の位置）でサンプル１に照明光を照射しつつ第１回目の撮影を行う。そして、その後に、サンプル１を挟んで対向する位置関係を維持したまま照明装置２と撮影装置３をともに同方向に９０°旋回させ、その位置（９０°の位置）でサンプル１に照明光を照射しつつ第２回目の撮影を行う。
【００２１】
さらに、第一、第二、第三の実施形態に係る光学的異方性データ取得方法において、照明装置２及び撮影装置３のサンプル１からの高度位置は、特に限定されるものではない。すなわち、サンプル１（サンプル１の表面のうちの撮影箇所）から照明装置２を見た場合の仰角θ１は０°以上９０°以下とすることができる（図３を参照）。また、サンプル１（サンプル１の表面のうちの撮影箇所）から撮影装置３を見た場合の仰角θ２は０°以上９０°以下とすることができる（図３を参照）。
このようにして得られた複数の画像データを解析してサンプル１の光学的異方性データを取得する方法は、特に限定されるものではない。例えば、各画像データを構成する個々の画素について、それぞれ対応する位置にある画素の画素値の差分を算出し、これらの差分をサンプル１の光学的異方性データとしてもよい。
【００２２】
なお、本実施形態は本発明の一例を示したものであって、本発明は本実施形態に限定されるものではない。また、本実施形態には種々の変更又は改良を加えることが可能であり、その様な変更又は改良を加えた形態も本発明に含まれ得る。
例えば、本実施形態においては、天然木を切断した板材をサンプルとして用いたが、光学的異方性を有する表面を備えるものであれば、どのようなものであってもサンプルとして用いることができる。
また、照明装置２や撮影装置３の種類は特に限定されるものではなく、照明装置２として例えば可視光照明装置、紫外線照明装置、赤外線照明装置を使用することができるし、撮影装置３として例えばＣＣＤカメラを使用することができる。
【符号の説明】
【００２３】
１      サンプル
２      照明装置
３      撮影装置
【図１】
2017159622.tif 000003
【図２】
2017159622.tif 000004
【図３】
2017159622.tif 000005